(57)【要約】      （修正有）【課題】棺を傾斜した時に、棺内の遺体が移動しない遺体固定用ボードを提供する。【解決手段】棺４内に挿入されて、該棺４に固定手段により固定されると共に、遺体５が載置される可燃性の板体２と、該板体２に設けた、遺体５を固定する、可燃性の遺体固定用の固定具３とよりなることを特徴とする。また、固定具３はベルトである。また、ベルト３は、胸部固定用ベルト３ａと、足上部固定用ベルト３ｂとよりなり、胸部固定用ベルト３ａは、遺体５の胸部を固定すると共に、該遺体５の脇の下に当接又は近接する位置に設けられ、足上部固定用ベルト３ｂは、少なくとも遺体５の左右いずれかの足に固定されると共に、遺体５の股に当接又は接近する位置に設けられる。【選択図】図１
0003207961.tif 000002
【実用新案登録請求の範囲】
【請求項１】
棺内に挿入されて、該棺に固定手段により固定されると共に、遺体が載置される可燃性の板体と、
該板体に設けた、前記遺体を固定する、可燃性の遺体固定用の固定具とよりなることを特徴とする遺体固定用ボード。
【請求項２】
前記固定具はベルトであることを特徴とする請求項１記載の遺体固定用ボード。
【請求項３】
前記ベルトは、胸部固定用ベルトと、足上部固定用ベルトとよりなり、前記胸部固定用ベルトは、遺体の胸部を固定すると共に、該遺体の脇の下に当接又は近接する位置に設けられ、前記足上部固定用ベルトは、少なくとも遺体の左右いずれかの足に固定されると共に、遺体の股に当接又は接近する位置に設けられることを特徴とする請求項１または２に記載の遺体固定用ボード。
【請求項４】
前記固定手段は、面ファスナーであることを特徴とする請求項１、２、または３に記載の遺体固定用ボード。
【考案の詳細な説明】
【技術分野】
【０００１】
本考案は、遺体固定用ボード、特に、ご遺体を固定すると共に、棺内に固定される遺体固定用ボード（遺体固定用板）に関するものである。
【背景技術】
【０００２】
例えば、一般の葬祭場において、一般より大きいエレベータを設置しなくても、該エレベータ内に棺を収納して、異なる階に棺を移動することができるようにするために、棺を載置するベッド部を傾動自在とした棺運搬台車を利用することが提案されている（先行技術文献１参照）。
【０００３】
かかる棺運搬台車を用いれば、エレベータに棺を入れる際、該棺を載置したベッド部を傾斜させて、棺を傾斜させることにより、エレベータ内に収納することができるようになる。また、ベッド部を傾斜させることにより、狭い通路などの移動もできるようになる。
【先行技術文献】
【特許文献】
【０００４】
【特許文献１】特願２０１３−１９６５６６号
【考案の概要】
【考案が解決しようとする課題】
【０００５】
しかしながら、棺を傾斜させることにより、棺内のご遺体が移動してしまい、棺を水平に戻した時に、例えば、棺の天井板に設けられた窓部からご遺体のお顔を見ることができないおそれがある。
【０００６】
本考案はこれらの問題点を解消すると共に、ご遺体を棺に納棺するのを容易にできる、遺体固定用ボードを提供することを目的とする。
【課題を解決するための手段】
【０００７】
前記の目的を達成すべく、棺内に挿入されて、該棺に固定手段により固定されると共に、遺体が載置される可燃性の板体と、該板体に設けた、前記遺体を固定する、可燃性の遺体固定用の固定具とよりなることを特徴とする。
【０００８】
また、前記固定具はベルトであることを特徴とする。
【０００９】
また、前記ベルトは、胸部固定用ベルトと、足上部固定用ベルトとよりなり、前記胸部固定用ベルトは、遺体の胸部を固定すると共に、該遺体の脇の下に当接又は近接する位置に設けられ、前記足上部固定用ベルトは、少なくとも遺体の左右いずれかの足に固定されると共に、遺体の股に当接又は接近する位置に設けられることを特徴とする。
【００１０】
また、前記固定手段は、面ファスナーであることを特徴とする。
【考案の効果】
【００１１】
本考案によれば、棺を傾斜させた時でも、ご遺体が移動するのを防ぐことができ、また、例えば、棺を傾斜から水平に戻した時でも、棺の天井板に設けられた窓部からご遺体のお顔を見ることができるようになる。
【００１２】
また、ご遺体を棺に納棺するのが容易になる。
【図面の簡単な説明】
【００１３】
【図１】本考案の遺体固定用ボードを収納した棺の横断平面図である。
【図２】天井部を省略した該棺の縦断側面図である。
【考案を実施するための形態】
【００１４】
本考案を実施するための形態の実施例を以下に示す。
【実施例１】
【００１５】
本考案の実施例１を図１及び図２によって説明する。
【００１６】
１は、本考案の遺体固定用ボードであり、該遺体固定用ボード１は、板体２と、該板体２に固定された、ベルト３などの遺体固定用の固定具とよりなる。
【００１７】
前記板体２は、棺４内に挿入されて、該棺４の底面４ａに載置し、後述する固定手段６により該棺４に固定され、該板体２は、棺４の底板の形状より若干小さい形状に形成され、１８０ｃｍサイズの棺を使用することを想定し、例えば、縦１７４０ｍｍ、横４８０ｍｍの長尺状の矩形状の板状に形成される。
【００１８】
また、前記板体２は、例えば、紙製の２層、又は３層の段ボールなどの可燃性体よりなる。
【００１９】
前記ベルト３は、例えば、前記板体２の上面に固定して設けた、可燃性のベルトであり、該ベルト３により、ご遺体５を前記板体２に固定できるように形成されている。
【００２０】
なお、前記ベルト３の数や、各ベルト３の板体２に対する取り付け位置に制限はないが、例えば、図１及び図２に示すように、胸部固定用ベルト３ａ、足上部固定用ベルト３ｂ、３ｂ、足下部固定用ベルト３ｃとを設ける。
【００２１】
そして、該胸部固定用ベルト３ａは、ご遺体５の胸部を固定すると共に、該ご遺体５の脇の下に当接又は近接する位置に設けられ、また、該足上部固定用ベルト３ｂ、３ｂは、ご遺体５の左右の足をそれぞれ各ベルト３ｂ、３ｂで固定すると共に、ご遺体５の股に当接又は近接する位置に設けられ、また、該足下部固定用ベルト３ｃは、ご遺体５の両足を１本のベルトで固定する共に、足の下部に位置する場所に設けられる。
【００２２】
かかる場所でご遺体を固定することにより、棺が傾斜しても、ご遺体が移動しないと供に、棺を傾斜から水平に戻した後であっても、棺の窓部からご遺体のお顔を見ることができるようになる。
【００２３】
また、ご遺体５の首にベルトを設けないので、前記棺の窓部からご遺体を見た時でも、外部からベルトを見ることができないようになる。
【００２４】
なお、前記足下部固定用ベルト３ｃは省略しても良い。また、前記足上部固定用ベルト３ｂは、少なくともご遺体の左右いずれかの足に固定されるものであれば良い。
【００２５】
また、各ベルト３ａ、３ｂ、３ｂ、３ｃは、それぞれ、例えば、前記板体２に固定した一対のベルト片を、その先端部で、バックル等により連結できるようにしたものなど、ご遺体を固定できるものであれば、特に制限はない。また、長さ調整が出来るものであっても良い。
【００２６】
前記固定手段６は、例えば、前記棺４と前記板体２とを固定する面ファスナーや、ガムテープなどの粘着テープであり、例えば、面ファスナーの場合には、前記棺４の底面４ａに該面ファスナーの一方のファスナーを設け、前記板体２の裏面に、該面ファスナーの他方のファスナーを設け、こられ一方及び他方のファスナーを接続させることにより、前記棺４の底面４ａと、前記板体２の裏面とが固定されるようになる。
【００２７】
また、前記固定手段６が粘着テープの場合には、板体２の縁部上面と、前記棺２の底面４ａとを粘着テープで固定するようにする。
【００２８】
次に本実施例１のご遺体固定用ボードの使用方法及びその効果について説明する。
【００２９】
例えば、お通やの前、又は後において、床上などに安置されているご遺体を、その隣に載置した遺体固定用ボード１の板体２上に載置し、胸部固定用ベルト３ａ、足上部固定用ベルト３ｂ、３ｂ、足下部固定用ベルト３ｃによりご遺体を前記板体２に固定するようにする。
【００３０】
なお、前記ベルト３は、該ベルト３が、ご遺体５の服装の内側に配置されるように、該服装を貫通させて、外部から見えないように、ベルト３を締めるようにしてもよい。
【００３１】
そして、ご遺体５を前記棺４に納棺するためには、前記遺体固定用ボード１を持ち上げて、その隣に載置された、上部を開口させた棺４内に納め、面ファスナーなどの固定手段６で、前記遺体固定用ボード１の板体２と、棺４の底面４ａとを固定し、棺４の蓋を閉めるようにする。
【００３２】
そして、前記棺４を移動するために、棺運搬台車上に載置するようにする。
【００３３】
なお、ご遺体５を固定した遺体固定用ボード１を、棺４内に納棺する前に、該棺４を棺運搬台車上に載置し、かかる棺運搬台車上に載置された棺４に、ご遺体５を固定した遺体固定用ボード１を収めるようにしてもよい。
【００３４】
そして、棺４を棺運搬台車を用いて移動させて、例えば、エレベータや狭い通路の場合には、前記棺４を前記棺運搬台車により傾斜させるようにする。
【００３５】
そして、前記棺４を傾斜させても、前記遺体固定用ボード１によりご遺体５は固定されているので、棺４内で移動することはなく、前記棺４の傾斜を戻し、水平にした後に、棺４内を除いても、ご遺体５の位置の移動は無く、棺の窓部からお顔を見ることができるようになる。
【００３６】
そして、斎場のおいては、前記遺体固定用ボード１の全ては可燃性でできているので、そのまま燃やすことができるようなる。
【産業上の利用可能性】
【００３７】
本考案の遺体固定用ボードは、お通夜や告別式などの葬儀にもちいる棺において利用される。
【符号の説明】
【００３８】
１      遺体固定用ボード
２      板体
３      ベルト
３ａ    胸部固定用ベルト
３ｂ    足上部固定用ベルト
３ｃ    足下部固定用ベルト
４      棺
４ａ    底面
５      ご遺体
６      固定手段
【図１】
0003207961.tif 000003
【図２】
0003207961.tif 000004
【手続補正書】
【提出日】平成28年10月5日(2016.10.5)
【手続補正１】
【補正対象書類名】実用新案登録請求の範囲
【補正対象項目名】全文
【補正方法】変更
【補正の内容】
【実用新案登録請求の範囲】
【請求項１】
棺内に挿入されて、該棺に固定手段により固定されると共に、遺体が載置される可燃性の板体と、
該板体に設けた、前記遺体を固定する、可燃性の遺体固定用の固定具とよりなることを特徴とする遺体固定用ボード。
【請求項２】
前記固定具はベルトであることを特徴とする請求項１記載の遺体固定用ボード。
【請求項３】
前記ベルトは、胸部固定用ベルトと、足上部固定用ベルトとよりなり、前記胸部固定用ベルトは、遺体の胸部を固定すると共に、該遺体の脇の下に当接又は近接する位置に設けられ、前記足上部固定用ベルトは、少なくとも遺体の左右いずれかの足に固定されると共に、遺体の股に当接又は接近する位置に設けられることを特徴とする請求項２に記載の遺体固定用ボード。
【請求項４】
前記固定手段は、面ファスナーであることを特徴とする請求項１、２、または３に記載の遺体固定用ボード。